(57)【要約】  無線端末ＵＥは、アイドル状態であって且つネットワークによって設定された測定期間内において無線環境の測定結果を含む測定ログを保持する処理を行い、測定期間が満了してから４８時間が経過した後に測定ログを消去可能に構成される。無線端末ＵＥは、アイドル状態から接続状態に移行する際に、測定ログを保持していることを示すログ保持情報をネットワークに送信する。無線端末ＵＥは、４８時間が経過した後に、測定ログを保持していないことを通知するメッセージをネットワークに送信する。
2012020829.tif 000002
【特許請求の範囲】
【請求項１】
アイドル状態であって且つネットワークによって設定された測定期間内において無線環境の測定結果を含む測定ログを保持する処理を行い、前記測定期間が満了してから所定の保持時間が経過した後に前記測定ログを消去可能な無線端末を用いた無線測定収集方法であって、
前記無線端末が、前記アイドル状態から接続状態に移行する際に、前記測定ログを保持していることを示すログ保持情報を前記ネットワークに送信するステップと、
前記無線端末が、前記所定の保持時間が経過した後に、前記測定ログを保持していないことを通知するメッセージを前記ネットワークに送信するステップと
を備える無線測定収集方法。
【請求項２】
アイドル状態であって且つネットワークによって設定された測定期間内において無線環境の測定結果を含む測定ログを保持する処理を行い、前記測定期間が満了してから所定の保持時間が経過した後に前記測定ログを消去可能な無線端末であって、
前記アイドル状態から接続状態に移行する際に、前記測定ログを保持していることを示すログ保持情報を前記ネットワークに送信し、
前記所定の保持時間が経過した後に、前記測定ログを保持していないことを通知するメッセージを前記ネットワークに送信する、ように構成された無線端末。
【発明の詳細な説明】
【技術分野】
【０００１】
本発明は、無線環境の測定及び収集を行う無線測定収集方法及び無線端末に関する。
【背景技術】
【０００２】
移動通信システムでは、無線基地局の周辺にビルが建設されたり、当該無線基地局の周辺基地局の設置状況が変化したりすると、当該無線基地局に係る無線環境が変化する。このため、従来では、オペレータにより、測定機材を搭載した測定用車両を使用して、無線環境を測定及び収集するドライブテストが行われている。【０００３】
このような無線環境の測定及び収集は、例えば無線基地局のパラメータの最適化に貢献できるが、工数が多く、且つ費用が高いという課題がある。そこで、移動通信システムの標準化プロジェクトである３ＧＰＰ（3rd Generation Partnership Project）では、ユーザが所持する無線端末を使用して、無線環境の測定及び収集を自動化する技術であるＭＤＴ（Minimization of Drive Test）の仕様策定が進められている（非特許文献１及び２参照）。
【先行技術文献】
【非特許文献】
【０００４】
【非特許文献１】3GPP TR 36.805 V9.0.0 “Study on Minimization of drive-tests in Next Generation Networks”, 2009-12
【非特許文献２】3GPP TS 37.320 v0.7.0, “Radio measurement collection for Minimization of Drive Tests (MDT)”, 2010-07
【発明の概要】
【０００５】
ＭＤＴの一形態である記録型ＭＤＴ（Logged MDTと称される）では、以下の方法で無線環境の測定及び収集を行うことが想定されている。
【０００６】
第１に、無線基地局を含んで構成されるネットワークが、測定期間を含む測定構成を設定する測定構成メッセージを無線端末に送信する。
【０００７】
第２に、無線端末が、アイドル状態（すなわち、待ち受け中の状態）であって且つ測定期間内において、測定構成メッセージによって設定された測定構成に従って無線環境の測定を行うとともに、当該測定の結果を含む測定ログを記録する。
【０００８】
第３に、無線端末が、アイドル状態から接続状態（すなわち、通信実行中の状態）に移行する際に、測定ログを保持していることを示すログ保持情報をネットワークに送信する。
【０００９】
第４に、ネットワークが、受信したログ保持情報に基づいて、測定ログの報告を要求するログ報告要求メッセージを無線端末に送信する。
【００１０】
このような記録型ＭＤＴでは、無線端末は、測定期間のタイマが満了してから４８時間（所定の保持時間）が経過するまでは、測定ログを保持しなければならない。言い換えると、無線端末は、測定期間のタイマが満了してから４８時間を経過した後は、測定ログを保持する必要が無く、測定ログを消去可能である。
【００１１】
しかしながら、無線端末がログ保持情報をネットワークに送信した後に測定ログを消去すると、ネットワーク側では無線端末が測定ログを保持していると認識しているため、ネットワーク側で予期せぬエラーが発生する虞がある。
【００１２】
そこで、本発明は、ネットワーク側で予期せぬエラーが発生することを防ぐことができる無線測定収集方法及び無線端末を提供することを目的とする。
【００１３】
上述した課題を解決するために、本発明は以下のような特徴を有している。
【００１４】
本発明に係る無線測定収集方法の特徴は、アイドル状態であって且つネットワーク（例えばＥ−ＵＴＲＡＮ及び保守監視装置ＯＡＭ）によって設定された測定期間内において無線環境の測定結果を含む測定ログを保持する処理を行い、前記測定期間が満了してから所定の保持時間（４８時間）が経過した後に前記測定ログを消去可能な無線端末（無線端末ＵＥ）を用いた無線測定収集方法であって、前記無線端末が、前記アイドル状態から接続状態に移行する際に、前記測定ログを保持していることを示すログ保持情報を前記ネットワークに送信するステップと、前記無線端末が、前記所定の保持時間が経過した後に、前記測定ログを保持していないことを通知するメッセージを前記ネットワークに送信するステップとを備えることを要旨とする。
【００１５】
本発明に係る無線端末の特徴は、アイドル状態であって且つネットワーク（例えばＥ−ＵＴＲＡＮ及び保守監視装置ＯＡＭ）によって設定された測定期間内において無線環境の測定結果を含む測定ログを保持する処理を行い、前記測定期間が満了してから所定の保持時間（４８時間）が経過した後に前記測定ログを消去可能な無線端末（無線端末ＵＥ）であって、前記アイドル状態から接続状態に移行する際に、前記測定ログを保持していることを示すログ保持情報を前記ネットワークに送信し、前記所定の保持時間が経過した後に、前記測定ログを保持していないことを通知するメッセージを前記ネットワークに送信する、ように構成されることを要旨とする。
【図面の簡単な説明】
【００１６】
【図１】移動通信システムの全体概略構成を示す図である。
【図２】無線基地局の構成を示すブロック図である。
【図３】無線端末の構成を示すブロック図である。
【図４】第１実施形態に係る無線測定収集方法を示すシーケンス図である。
【図５】第１実施形態の変更例に係る無線測定収集方法を示すシーケンス図である。
【図６】第２実施形態に係る無線測定収集方法を示すシーケンス図である。
【図７】第３実施形態に係る無線測定収集方法を示すシーケンス図である。
【発明を実施するための形態】
【００１７】
図面を参照して、本発明の第１実施形態〜第３実施形態、及びその他の実施形態を説明する。以下の各実施形態における図面において、同一又は類似の部分には同一又は類似の符号を付している。
【００１８】
（１）第１実施形態
第１実施形態では、（１．１）移動通信システムの概要、（１．２）無線基地局の構成、（１．３）無線端末の構成、（１．４）無線測定収集方法、（１．５）第１実施形態の効果、（１．６）第１実施形態の変更例について説明する。
【００１９】
（１．１）移動通信システムの概要
図１は、第１実施形態に係る移動通信システム１の全体概略構成を示す図である。移動通信システム１は、３ＧＰＰで仕様が策定されているＬＴＥ（Long Term Evolution）−Ａｄｖａｎｃｅｄ（Rel-10 LTEとも称される）に基づいて構成される。
【００２０】
図１に示すように、移動通信システム１は、無線端末ＵＥ（User Equipment）、複数の無線基地局ｅＮＢ（evolved Node-B）、保守監視装置ＯＡＭ（Operation and Maintenance）、及び複数の移動管理装置ＭＭＥ（Mobility Management Entity）／ゲートウェイ装置Ｓ−ＧＷ（Serving Gateway）を有する。
【００２１】
複数の無線基地局ｅＮＢ＃１〜ｅＮＢ＃３は、無線アクセスネットワークＥ−ＵＴＲＡＮ（Evolved-UMTS Terrestrial Radio Access  Network）を構成する。複数の無線基地局ｅＮＢのそれぞれは、無線端末ＵＥにサービスを提供すべき通信エリアであるセルを形成する。無線端末ＵＥは、ユーザが所持する無線通信装置であり、ユーザ装置とも称される。
【００２２】
隣接する各無線基地局ｅＮＢは、基地局間通信を提供する論理的な通信路であるＸ２インターフェースを介して互いに通信可能である。複数の無線基地局ｅＮＢのそれぞれは、Ｓ１インターフェースを介して、ＥＰＣ（Evolved Packet Core）、具体的には、ＭＭＥ（Mobility Management Entity）／Ｓ−ＧＷ（Serving Gateway）と通信可能である。また、各無線基地局ｅＮＢは、オペレータによって運営される保守監視装置ＯＡＭと通信可能である。なお、以下においては、無線アクセスネットワークＥ−ＵＴＲＡＮと保守監視装置ＯＡＭとを併せて適宜「ネットワーク」と称する。
【００２３】
移動通信システム１は、記録型ＭＤＴ（Logged MDTと称される）をサポートする。記録型ＭＤＴとは、アイドル状態の無線端末ＵＥが、設定された条件を満たすときに測定を行い、測定結果を含む測定ログを後でネットワークに報告するために保持するものである。記録型ＭＤＴでは、以下の方法で無線環境の測定及び収集を行う。
【００２４】
第１に、ネットワークが、測定構成を設定する測定設定メッセージであるIdleMDTConfigurationメッセージを無線端末ＵＥに送信する。測定構成は、測定対象（measurements to be logged）、測定トリガ（triggering of logging event）、測定時間（total duration of logging）、タイムスタンプ（network absolute time stamp）、及び測定エリア（measurements area）を含む。ただし、測定エリア（measurements area）は、測定構成に含まれなくてもよい。なお、測定構成は、ＭＤＴコンフィグレーションと称されることがある。
【００２５】
第２に、無線端末ＵＥが、アイドル状態、且つ測定期間において、IdleMDTConfigurationメッセージに従って無線環境の測定を行うとともに、当該測定の結果を含む測定ログを記録する。具体的には、無線端末ＵＥは、IdleMDTConfigurationメッセージによる測定構成の設定時に測定期間のタイマ（duration timer）を起動し、当該タイマが満了すると測定ログの記録を終了する。なお、無線環境とは、参照信号の受信電力（ＲＳＲＰ）や参照信号の受信品質（ＲＳＲＱ）である。また、測定ログは、無線環境の測定結果に加え、位置情報やタイムスタンプを含んでもよい。位置情報とは、サービングセルのＥＣＧＩ情報、ＧＮＳＳ（ＧＰＳ）情報、又はＲＦフィンガープリントである。
【００２６】
第３に、無線端末ＵＥが、アイドル状態（RRC Idle state）から接続状態（RRC Connected state）に移行する際に、測定ログを保持していることを示すログ保持情報をネットワークに送信する。具体的には、無線端末ＵＥは、接続状態の確立が完了したことを示すRRCConnectionSetupCompleteメッセージにログ保持情報を含めてネットワークに送信する。
【００２７】
第４に、ネットワークが、受信したログ保持情報に基づいて、測定ログの報告を要求するログ報告要求メッセージであるUEInformationRequestメッセージを無線端末ＵＥに送信する。無線端末ＵＥは、UEInformationRequestメッセージを受信すると、保持している測定ログを含むUEInformationResponseメッセージをネットワークに送信する。
【００２８】
このような記録型ＭＤＴでは、無線端末ＵＥは、測定期間のタイマが満了してから４８時間（所定の保持時間）が経過するまでは、測定ログを保持しなければならない。言い換えると、無線端末ＵＥは、測定期間のタイマが満了してから４８時間を経過した後は、測定ログを保持する必要が無く、測定ログを消去可能である。
【００２９】
しかし、無線端末ＵＥがログ保持情報をネットワークに送信した後に測定ログを消去すると、ネットワーク側では無線端末ＵＥが測定ログを保持していると認識しているため、無線端末ＵＥが測定ログを保持していないにもかかわらず、UEInformationRequestメッセージをネットワークから無線端末ＵＥに送信してしまう問題がある。
【００３０】
そこで、第１実施形態では、無線端末ＵＥが、ログ保持情報をネットワークに送信した場合に、測定期間のタイマが満了してから４８時間が経過した後においても測定ログを消去せずに保持することによって、上記問題を回避する。
【００３１】
（１．２）無線基地局の構成
図２は、第１実施形態に係る無線基地局ｅＮＢの構成を示すブロック図である。
【００３２】
図２に示すように、無線基地局ｅＮＢは、アンテナ１０１、無線通信部１１０、ネットワーク通信部１２０、記憶部１３０、及び制御部１４０を有する。
【００３３】
アンテナ１０１は、無線信号の送受信に用いられる。無線通信部１１０は、例えば無線周波数（ＲＦ）回路やベースバンド（ＢＢ）回路等を用いて構成され、アンテナ１０１を介して無線信号を送受信する。また、無線通信部１１０は、送信信号の変調と受信信号の復調とを行う。ネットワーク通信部１２０は、他のネットワーク装置（保守監視装置ＯＡＭや他の無線基地局ｅＮＢ等）との通信を行う。記憶部１３０は、例えばメモリを用いて構成され、無線基地局ｅＮＢの制御等に用いられる各種の情報を記憶する。制御部１４０は、例えばＣＰＵを用いて構成され、無線基地局ｅＮＢが備える各種の機能を制御する。
【００３４】
制御部１４０は、測定制御部１４１及び収集制御部１４２を有する。
【００３５】
測定制御部１４１は、測定構成を設定するIdleMDTConfigurationメッセージを生成する。そして、測定制御部１４１は、当該IdleMDTConfigurationメッセージを無線端末ＵＥに送信するよう無線通信部１１０を制御する。
【００３６】
収集制御部１４２は、無線端末ＵＥからの測定ログの収集を制御する。収集制御部１４２は、UEInformationRequestメッセージを生成する。そして、収集制御部１４２は、当該UEInformationRequestメッセージを無線端末ＵＥに送信するよう無線通信部１１０を制御する。
【００３７】
収集制御部１４２は、UEInformationRequestメッセージに応じて無線端末ＵＥから送信（報告）されたUEInformationResponseメッセージを無線通信部１１０が受信すると、受信したUEInformationResponseメッセージに含まれる測定ログを取得する。そして、収集制御部１４２は、取得した測定ログを保守監視装置ＯＡＭに送信するようネットワーク通信部１２０を制御する。なお、収集制御部１４２は、測定ログを保守監視装置ＯＡＭに送信するケースに限らず、当該測定ログの内容を解釈し、自無線基地局ｅＮＢのパラメータ調整に使用してもよい。
【００３８】
（１．３）無線端末の構成
図３は、第１実施形態に係る無線端末ＵＥの構成を示すブロック図である。
【００３９】
図３に示すように、無線端末ＵＥは、アンテナ２０１、無線通信部２１０、ユーザインターフェイス部２２０、ＧＰＳ受信機２３０、バッテリ２４０、記憶部２５０、及び制御部２６０を有する。ただし、無線端末ＵＥは、ＧＰＳ受信機２３０を有していなくてもよい。
【００４０】
アンテナ２０１は、無線信号の送受信に用いられる。無線通信部２１０は、例えば無線周波数（ＲＦ）回路やベースバンド（ＢＢ）回路等を用いて構成され、アンテナ２０１を介して無線信号を送受信する。また、無線通信部２１０は、送信信号の変調と受信信号の復調とを行う。ユーザインターフェイス部２２０は、ユーザとのインターフェイスとして機能するディスプレイやボタン等である。バッテリ２４０は、無線端末ＵＥの各ブロックに供給される電力を蓄える。記憶部２５０は、例えばメモリを用いて構成され、無線端末ＵＥの制御等に用いられる各種の情報を記憶する。制御部２６０は、例えばＣＰＵを用いて構成され、無線端末ＵＥが備える各種の機能を制御する。
【００４１】
制御部２６０は、測定処理部２６１及び測定ログ管理部２６２を有する。
【００４２】
測定処理部２６１は、接続状態において、IdleMDTConfigurationメッセージを無線通信部２１０が受信すると、受信したIdleMDTConfigurationメッセージによって指定された測定構成を設定（すなわち、記憶部２５０に記憶）する。
【００４３】
測定処理部２６１は、アイドル状態において、記憶部２５０に記憶された測定構成に従って無線環境の測定及び位置情報の取得等を行うとともに、測定結果及び位置情報等を含む測定ログを保持（すなわち、記憶部２５０に記憶）する。具体的には、測定処理部２６１は、測定対象（measurements to be logged）で指定された周波数、及び測定トリガ（triggering of logging event）で指定されたトリガでの測定を行う。また、測定処理部２６１は、測定エリア（measurements area）で指定されたセルＩＤ又はトラッキングエリアにキャンプする場合にのみ測定を行う。なお、測定エリアが指定されていない場合は、端末は自身が位置登録可能な全PLMNに属するcellで測定を行う。
【００４４】
測定処理部２６１は、測定構成の設定時に測定期間のタイマ（duration timer）を起動し、当該タイマが満了すると測定ログの記録を終了し、測定構成の設定を消去する。
【００４５】
測定ログ管理部２６２は、記憶部２５０に記憶された測定ログを管理する。測定ログ管理部２６２は、測定期間のタイマが満了すると、４８時間のタイマを起動する。
【００４６】
測定ログ管理部２６２は、記憶部２５０に測定ログが保持されている場合であって、アイドル状態から接続状態への移行が完了した際に、測定ログを保持していることを示すログ保持情報を、アイドル状態から接続状態への移行が完了したことを示すRRCConnectionSetupCompleteメッセージに含めて送信するよう制御する。
【００４７】
測定ログ管理部２６２は、接続状態において、UEInformationRequestメッセージを無線通信部２１０が受信すると、記憶部２５０に記憶された測定ログを取得し、取得した測定ログを含むUEInformationResponseメッセージを生成する。そして、測定ログ管理部２６２は、生成したUEInformationResponseメッセージをネットワーク（無線基地局ｅＮＢ）に送信するよう無線通信部２１０を制御する。このようにして測定ログがネットワークに報告されると、測定ログ管理部２６２は、記憶部２５０に記憶された測定ログを消去する。また、測定ログ管理部２６２は、接続状態において、新たなIdleMDTConfigurationメッセージを無線通信部２１０が受信すると、記憶部２５０に記憶された測定構成を新たな測定構成に置き換えるとともに、記憶部２５０に記憶された測定ログを消去可能である。
【００４８】
さらに、測定ログ管理部２６２は、測定期間のタイマが満了してから４８時間以内に、ネットワークへの測定ログの報告ができないケースでは、当該測定ログを消去する。ただし、測定ログ管理部２６２は、ログ保持情報をRRCConnectionSetupCompleteメッセージに含めて送信している場合には、測定期間のタイマが満了してから４８時間が経過した後においても、ネットワークへ未送信（未報告）の測定ログを保持するよう制御する。
【００４９】
（１．４）無線測定収集方法
図４は、第１実施形態に係る無線測定収集方法を示すシーケンス図である。図４の初期状態では、無線端末ＵＥは、接続状態であり、無線基地局ｅＮＢとの無線通信を行っているものとする。
【００５０】
ステップＳ１０１において、保守監視装置ＯＡＭは、移動管理装置ＭＭＥの情報等を参照して、ＭＤＴに使用する無線端末ＵＥを選択し、選択した無線端末ＵＥに設定する測定構成を決定する。そして、保守監視装置ＯＡＭは、選択した無線端末ＵＥの情報、及び決定した測定構成の情報を無線基地局ｅＮＢに送信する。
【００５１】
ステップＳ１０２において、無線基地局ｅＮＢは、保守監視装置ＯＡＭから受信した情報に応じて、測定構成を設定するIdleMDTConfigurationメッセージを生成し、生成したIdleMDTConfigurationメッセージを無線端末ＵＥに送信する。
【００５２】
無線端末ＵＥは、IdleMDTConfigurationメッセージを受信すると、ステップＳ１０３において、受信したIdleMDTConfigurationメッセージに含まれる測定構成を自無線端末ＵＥに設定する。また、無線端末ＵＥは、測定構成の設定時に、測定期間のタイマ（duration timer）を起動する。
【００５３】
ステップＳ１０４において、無線端末ＵＥは、接続状態からアイドル状態に移行する。
【００５４】
ステップＳ１０５において、無線端末ＵＥは、ロギング処理、すなわち、設定した測定構成に従って無線環境の測定を行うとともに、当該測定の結果を含む測定ログを保持する処理を行う。
【００５５】
無線端末ＵＥは、測定期間のタイマが満了すると、ステップＳ１０６においてロギング処理を終了する。無線端末ＵＥは、測定期間のタイマが満了すると、４８時間のタイマを起動する。
【００５６】
ステップＳ１０７において、無線端末ＵＥは、無線基地局ｅＮＢとの接続処理を行う。なお、無線端末ＵＥの接続先となる無線基地局ｅＮＢは、IdleMDTConfigurationメッセージを送信した無線基地局ｅＮＢとは異なるものである可能性が高い。
【００５７】
ステップＳ１０８において、無線端末ＵＥは、アイドル状態から接続状態に移行する。
【００５８】
ステップＳ１０９において、無線端末ＵＥは、アイドル状態から接続状態への移行が完了したことを示すRRCConnectionSetupCompleteメッセージを無線基地局ｅＮＢに送信する。その際、無線端末ＵＥは、測定ログを保持していることを示すログ保持情報を１ビットのインジケーションとしてRRCConnectionSetupCompleteメッセージに含めて送信する。
【００５９】
無線基地局ｅＮＢは、ログ保持情報を含むRRCConnectionSetupCompleteメッセージを無線端末ＵＥから受信すると、ステップＳ１１０において、無線端末ＵＥが測定ログを保持している旨の情報を保守監視装置ＯＡＭに送信する。保守監視装置ＯＡＭは、無線端末ＵＥが保持する測定ログを収集するか否かを判断する。
【００６０】
ステップＳ１１１において、４８時間のタイマが満了する。４８時間のタイマが満了すると、無線端末ＵＥは、保持している測定ログを消去するか否かを決定する。具体的には、無線端末ＵＥは、RRCConnectionSetupCompleteメッセージにログ保持情報を含めて送信している場合には、保持している測定ログを消去しないと決定する。一方、無線端末ＵＥは、RRCConnectionSetupCompleteメッセージにログ保持情報を含めて送信していない場合には、保持している測定ログを消去可能であると判断する。以下の説明では、無線端末ＵＥが、測定ログを消去しないと決定したものとする。
【００６１】
ステップＳ１１２において、無線端末ＵＥは、接続状態からアイドル状態に移行する。接続状態からアイドル状態に移行すると、無線端末ＵＥは、ネットワークへ未送信（未報告）の測定ログを消去可能であると判断する。
【００６２】
なお、無線端末ＵＥは、ログ保持情報を含むRRCConnectionSetupCompleteメッセージを送信（ステップＳ１０９）してから、アイドル状態に移行（ステップＳ１１２）するまでに、測定ログの報告をネットワークから要求されることがある。このようなケースでは、無線基地局ｅＮＢは、無線端末ＵＥが保持する測定ログを収集することを指示する旨の情報を保守監視装置ＯＡＭから受信し、UEInformationRequestメッセージを生成し、生成したUEInformationRequestメッセージを無線端末ＵＥに送信する。無線端末ＵＥは、UEInformationRequestメッセージを無線基地局ｅＮＢから受信すると、保持している測定ログを含むUEInformationResponseメッセージを生成し、生成したUEInformationResponseメッセージを無線基地局ｅＮＢに送信する。このようにして測定ログがネットワークに報告されると、無線端末ＵＥは、保持している測定ログを消去する。無線基地局ｅＮＢは、UEInformationResponseメッセージを無線端末ＵＥから受信すると、受信したUEInformationResponseメッセージに含まれる測定ログを取得し、取得した測定ログを保守監視装置ＯＡＭに送信する。
【００６３】
（１．５）第１実施形態の効果
以上説明したように、第１実施形態によれば、無線端末ＵＥは、ログ保持情報をネットワークに送信した場合に、測定期間のタイマが満了してから４８時間が経過した後においても、接続状態からアイドル状態に移行するまでは測定ログを消去せずに保持する。これにより、無線端末ＵＥが測定ログを保持していないにもかかわらずUEInformationRequestメッセージをネットワークから無線端末ＵＥに送信してしまう問題を回避できる。
【００６４】
また、第１実施形態では、無線端末ＵＥは、測定期間のタイマが満了してから４８時間が経過した後においてUEInformationRequestメッセージを受信した場合に、測定ログを含むUEInformationResponseメッセージをネットワークに送信できるため、測定ログの損失を抑制できる。
【００６５】
（１．６）第１実施形態の変更例
第１実施形態では、無線端末ＵＥは、ログ保持情報をネットワークに送信した場合に、測定期間のタイマが満了してから４８時間が経過した後においても、接続状態からアイドル状態に移行するまでは測定ログを消去せずに保持していた。
【００６６】
本変更例では、無線端末ＵＥは、ログ保持情報をネットワークに送信した場合に、測定期間のタイマが満了してから４８時間が経過した後においても、当該４８時間よりも延長された時間（Ｎ時間）が経過するまでは測定ログを消去せずに保持する。Ｎの値としては、０よりも大きい値を任意に設定できるが、例えば５〜１０といった値とすることができる。
【００６７】
図５は、第１実施形態の変更例に係る無線測定収集方法を示すシーケンス図である。以下において、第１実施形態に係る無線測定収集方法との相違点を主として説明する。
【００６８】
ステップＳ２０１〜ステップＳ２１０の処理は、第１実施形態と同様である。
【００６９】
ステップＳ２１１において、４８時間のタイマが満了する。４８時間のタイマが満了すると、無線端末ＵＥは、保持している測定ログを消去するか否かを決定する。具体的には、無線端末ＵＥは、RRCConnectionSetupCompleteメッセージにログ保持情報を含めて送信している場合には、保持している測定ログを消去しないと決定し、Ｎ時間のタイマを起動する。一方、無線端末ＵＥは、RRCConnectionSetupCompleteメッセージにログ保持情報を含めて送信していない場合には、保持している測定ログを消去可能であると判断する。以下の説明では、無線端末ＵＥが、測定ログを消去しないと決定したものとする。
【００７０】
ステップＳ２１２において、Ｎ時間のタイマが満了する。Ｎ時間のタイマが満了すると、無線端末ＵＥは、ネットワークへ未送信（未報告）の測定ログを消去可能であると判断する。
【００７１】
このように、第１実施形態の変更例によれば、無線端末ＵＥは、ログ保持情報をネットワークに送信した場合に、測定期間のタイマが満了してから４８時間＋Ｎ時間が経過するまでは測定ログを消去せずに保持する。これにより、無線端末ＵＥが測定ログを保持していないにもかかわらずUEInformationRequestメッセージをネットワークから無線端末ＵＥに送信してしまう問題を回避できる。
【００７２】
また、第１実施形態の変更例では、無線端末ＵＥは、測定期間のタイマが満了してから４８時間が経過した後においてUEInformationRequestメッセージを受信した場合に、測定ログを含むUEInformationResponseメッセージをネットワークに送信できるため、測定ログの損失を抑制できる。
【００７３】
（２）第２実施形態
第２実施形態では、無線端末ＵＥが、ログ保持情報をネットワークに送信した後に測定ログを消去した場合に、UEInformationRequestメッセージの送信を規制するための所定のメッセージをネットワークに送信する。所定のメッセージとは、測定ログを消去したことを通知する消去通知メッセージ、測定ログを保持していないことを通知するログ非保持通知メッセージ、又はログ報告要求メッセージの送信規制を要求する規制要求メッセージである。
【００７４】
以下において、第２実施形態について、（２．１）無線端末の構成、（２．２）無線測定収集方法、（２．３）第２実施形態の効果の順に説明する。
【００７５】
（２．１）無線端末の構成
再び図３を用いて、第２実施形態に係る無線端末ＵＥの構成について、第１実施形態との相違点を説明する。第２実施形態に係る無線端末ＵＥでは、測定ログ管理部２６２は、測定期間のタイマが満了してから４８時間以内にネットワークへの測定ログの報告ができない場合に、当該測定ログを消去する。また、測定ログ管理部２６２は、ログ保持情報をネットワークに送信した後に、４８時間の経過を理由として測定ログを消去した場合に、UEInformationRequestメッセージの送信を規制するための所定のメッセージを生成する。そして、測定ログ管理部２６２は、生成した所定のメッセージをネットワークに送信するよう無線通信部２１０を制御する。
【００７６】
（２．２）無線測定収集方法
図６は、第２実施形態に係る無線測定収集方法を示すシーケンス図である。以下において、第１実施形態に係る無線測定収集方法との相違点を主として説明する。
【００７７】
ステップＳ３０１〜ステップＳ３１０の処理は、第１実施形態と同様である。
【００７８】
ステップＳ３１１において、４８時間のタイマが満了する。４８時間のタイマが満了すると、無線端末ＵＥは、保持している測定ログを消去可能である。
【００７９】
無線端末ＵＥは、RRCConnectionSetupCompleteメッセージにログ保持情報を含めて送信している場合には、ステップＳ３１２において、所定のメッセージを無線基地局ｅＮＢに送信する。所定のメッセージとは、測定ログを消去したことを通知する消去通知メッセージ、測定ログを保持していないことを通知するログ非保持通知メッセージ、又はログ報告要求メッセージの送信規制を要求する規制要求メッセージである。
【００８０】
無線基地局ｅＮＢは、所定のメッセージを無線端末ＵＥから受信すると、ステップＳ３１３において、当該所定のメッセージに対応するメッセージを保守監視装置ＯＡＭに送信する。
【００８１】
（２．３）第２実施形態の効果
以上説明したように、第２実施形態によれば、無線端末ＵＥは、ログ保持情報をネットワークに送信した場合、測定期間のタイマが満了してから４８時間が経過した際に、測定ログを消去するとともに、所定のメッセージをネットワークに送信する。これにより、無線端末ＵＥが測定ログを保持していないにもかかわらずUEInformationRequestメッセージをネットワークから無線端末ＵＥに送信してしまう問題を回避できる。
【００８２】
（３）第３実施形態
第３実施形態では、無線端末ＵＥが、ログ保持情報をネットワークに送信した後に４８時間が経過した場合に、測定ログを消去可能か否かを問い合せる旨の問い合せメッセージをネットワークに送信する。
【００８３】
以下において、第３実施形態について、（３．１）無線端末の構成、（３．２）無線測定収集方法、（３．３）第３実施形態の効果の順に説明する。
【００８４】
（３．１）無線端末の構成
再び図３を用いて、第３実施形態に係る無線端末ＵＥの構成について、第１実施形態との相違点を説明する。第３実施形態に係る無線端末ＵＥでは、測定ログ管理部２６２は、ログ保持情報をネットワークに送信した後に４８時間が経過した場合に、測定ログを消去可能か否かを問い合せる旨の問い合せメッセージを生成する。測定ログ管理部２６２は、生成した問い合せメッセージをネットワークに送信するよう無線通信部２１０を制御する。そして、測定ログ管理部２６２は、測定ログを消去可能であることを通知するメッセージをネットワークから受信した場合に、測定ログを消去するよう制御する。
【００８５】
（３．２）無線測定収集方法
図７は、第３実施形態に係る無線測定収集方法を示すシーケンス図である。以下において、第１実施形態に係る無線測定収集方法との相違点を主として説明する。
【００８６】
ステップＳ４０１〜ステップＳ４１０の処理は、第１実施形態と同様である。
【００８７】
ステップＳ４１１において、４８時間のタイマが満了する。
【００８８】
無線端末ＵＥは、４８時間のタイマが満了すると、ステップＳ４１２において、測定ログを消去可能か否かを問い合せる旨の問い合せメッセージを無線基地局ｅＮＢに送信する。
【００８９】
無線基地局ｅＮＢは、問い合せメッセージを無線端末ＵＥから受信すると、ステップＳ４１３において、当該問い合せメッセージに対応するメッセージを保守監視装置ＯＡＭに送信する。
【００９０】
保守監視装置ＯＡＭは、問い合せメッセージに対応するメッセージを無線基地局ｅＮＢから受信すると、ステップＳ４１４において、測定ログの消去を許容するか否かを決定する。例えば、保守監視装置ＯＡＭは、ステップＳ４０１で決定した測定構成に応じて定められる、測定ログの重要度に基づいて、測定ログの消去を許容するか否かを決定する。保守監視装置ＯＡＭは、特定のエリア及び／又は時間で測定を行うように構成された測定構成については、重要度が高いとみなして、測定ログの消去を許容しないと決定する。一方、保守監視装置ＯＡＭは、特定のエリア及び／又は時間以外で測定を行うように構成された測定構成については、重要度が低いとみなして、測定ログの消去を許容すると決定する。
【００９１】
ステップＳ４１５において、保守監視装置ＯＡＭは、ステップＳ４１４での決定結果に応じた応答メッセージを無線基地局ｅＮＢに送信する。
【００９２】
無線基地局ｅＮＢは、決定結果に応じた応答メッセージを保守監視装置ＯＡＭから受信すると、ステップＳ４１６において、受信した応答メッセージに対応するメッセージを無線端末ＵＥに送信する。
【００９３】
無線端末ＵＥは、無線基地局ｅＮＢから受信したメッセージが測定ログの消去を許容するものである場合に、ステップＳ４１７において測定ログを消去する。一方、無線端末ＵＥは、無線基地局ｅＮＢから受信したメッセージが測定ログの消去を許容しないものである場合に、測定ログを消去せずに保持する。
【００９４】
なお、上記応答メッセージに代えて、UEInformationRequestメッセージを送信してもよい。
【００９５】
また、本シーケンスでは、測定ログの消去を許容するか否かの決定を保守監視装置ＯＡＭが行っているが、当該決定を無線基地局ｅＮＢが行ってもよい。この場合、例えば無線基地局ｅＮＢの負荷状態に基づいて測定ログの消去を許容するか否かを決定してもよい。
【００９６】
（３．３）第３実施形態の効果
以上説明したように、第３実施形態によれば、無線端末ＵＥは、ログ保持情報をネットワークに送信した場合、測定期間のタイマが満了してから４８時間が経過した際に、測定ログを消去可能か否かを問い合せる旨の問い合せメッセージをネットワークに送信する。これにより、無線端末ＵＥが測定ログを保持していないにもかかわらずUEInformationRequestメッセージをネットワークから無線端末ＵＥに送信してしまう問題を回避できる。
【００９７】
（４）その他の実施形態
上記のように、本発明は各実施形態によって記載したが、この開示の一部をなす論述及び図面はこの発明を限定するものであると理解すべきではない。この開示から当業者には様々な代替実施形態、実施例及び運用技術が明らかとなる。
【００９８】
例えば、各実施形態では、ＬＴＥあるいはＬＴＥ−Ａｄｖａｎｃｅｄに基づいて構成される移動通信システム１について説明したが、ＬＴＥあるいはＬＴＥ−Ａｄｖａｎｃｅｄに限らず、Ｗ−ＣＤＭＡに基づいて構成される移動通信システム等に対して本発明を適用してもよい。
【００９９】
このように本発明は、ここでは記載していない様々な実施形態等を包含するということを理解すべきである。
【０１００】
なお、日本国特許出願第２０１０−１８１１６３号（２０１０年８月１２日出願）の全内容が、参照により、本願明細書に組み込まれている。
【産業上の利用可能性】
【０１０１】
以上のように、本発明に係る無線測定収集方法及び無線端末によれば、ネットワーク側で予期せぬエラーが発生することを防ぐことができるため、移動体通信などの無線通信において有用である。
【図１】
2012020829.tif 000003
【図２】
2012020829.tif 000004
【図３】
2012020829.tif 000005
【図４】
2012020829.tif 000006
【図５】
2012020829.tif 000007
【図６】
2012020829.tif 000008
【図７】
2012020829.tif 000009
【手続補正書】
【提出日】平成24年4月16日(2012.4.16)
【手続補正１】
【補正対象書類名】特許請求の範囲
【補正対象項目名】全文
【補正方法】変更
【補正の内容】
【特許請求の範囲】
【請求項１】
アイドル状態であって且つネットワークによって設定された測定期間内において無線環境の測定結果を含む測定ログを保持する処理を行い、前記測定期間が満了してから所定の保持時間が経過した後に前記測定ログを消去可能な無線端末を用いた無線測定収集方法であって、  前記無線端末が、前記アイドル状態から接続状態に移行する際に、前記測定ログを保持していることを示すログ保持情報を前記ネットワークに送信するステップと、  前記無線端末が、前記所定の保持時間が経過した後に、前記測定ログを保持していないことを通知するメッセージを前記ネットワークに送信するステップとを備える無線測定収集方法。
【請求項２】
アイドル状態であって且つネットワークによって設定された測定期間内において無線環境の測定結果を含む測定ログを保持する処理を行い、前記測定期間が満了してから所定の保持時間が経過した後に前記測定ログを消去可能な無線端末であって、  前記アイドル状態から接続状態に移行する際に、前記測定ログを保持していることを示すログ保持情報を前記ネットワークに送信し、  前記所定の保持時間が経過した後に、前記測定ログを保持していないことを通知するメッセージを前記ネットワークに送信する、ように構成された無線端末。
【請求項３】
無線端末に適用されるプロセッサであって、  前記プロセッサは、前記無線端末が、アイドル状態であって且つネットワークによって設定された測定期間内において無線環境の測定結果を含む測定ログを保持するための処理と、前記測定期間が満了してから所定の保持時間が経過した後に前記測定ログを消去可能にするための処理と、を行うように構成されており、  前記プロセッサは、さらに、前記無線端末が、前記アイドル状態から接続状態に移行する際に、前記測定ログを保持していることを示すログ保持情報を前記ネットワークに送信するための処理と、前記所定の保持時間が経過した後に、前記測定ログを保持していないことを通知するメッセージを前記ネットワークに送信するための処理と、を行うように構成されているプロセッサ。
【手続補正３】
【補正対象書類名】明細書
【補正対象項目名】００１５
【補正方法】変更
【補正の内容】
【００１５】  本発明に係る無線端末の特徴は、アイドル状態であって且つネットワーク（例えばＥ−ＵＴＲＡＮ及び保守監視装置ＯＡＭ）によって設定された測定期間内において無線環境の測定結果を含む測定ログを保持する処理を行い、前記測定期間が満了してから所定の保持時間（４８時間）が経過した後に前記測定ログを消去可能な無線端末（無線端末ＵＥ）であって、前記アイドル状態から接続状態に移行する際に、前記測定ログを保持していることを示すログ保持情報を前記ネットワークに送信し、前記所定の保持時間が経過した後に、前記測定ログを保持していないことを通知するメッセージを前記ネットワークに送信する、ように構成されることを要旨とする。本発明に係るプロセッサの特徴は、無線端末に適用されるプロセッサであって、前記プロセッサは、前記無線端末が、アイドル状態であって且つネットワークによって設定された測定期間内において無線環境の測定結果を含む測定ログを保持するための処理と、前記測定期間が満了してから所定の保持時間が経過した後に前記測定ログを消去可能にするための処理と、を行うように構成されており、前記プロセッサは、さらに、前記無線端末が、前記アイドル状態から接続状態に移行する際に、前記測定ログを保持していることを示すログ保持情報を前記ネットワークに送信するための処理と、前記所定の保持時間が経過した後に、前記測定ログを保持していないことを通知するメッセージを前記ネットワークに送信するための処理と、を行うように構成されることを要旨とする。
【国際調査報告】
2012020829.tif 000010
2012020829.tif 000011
2012020829.tif 000012
2012020829.tif 000013